(57)【要約】      （修正有）【課題】釣竿の穂先の先端及び各竿管に設置する釣糸ガイドが着脱自在で、任意に位置に簡単に固定できる釣糸ガイドを提供する。【解決手段】釣竿の先端又は竿管の任意の位置に、着脱自在に固定設置する釣糸ガイド１０であって、釣竿の先端を挿入する中空部分２が形成された第１管状部材１、又は竿管が貫通する貫通孔が形成された第２管状部材と、上記中空部分２又は上記貫通孔を有する区間のうち、一部の特定区間４の内径を縮小させる管径縮小部材と、を備え、ガイドリングの支持部３は、上記第１管状部材１及び上記第２管状部材それぞれの、上記特定区間を除外した外周上に一体的に形成されたことを特徴とする。【選択図】図１
2019126303.tif 000002
【特許請求の範囲】
【請求項１】
釣糸が自在に通過する内径のガイドリングを嵌合する支持部が形成された本体を釣竿の先端又は竿管の任意の位置に、着脱自在に固定設置する釣糸ガイドであって、
前記本体は、
釣竿の先端を挿入する中空部分が形成された第１管状部材、又は竿管が貫通する貫通孔が形成された第２管状部材と、
前記中空部分又は前記貫通孔を有する区間のうち、一部の特定区間の内径を縮小させる管径縮小部材と、を備え、
前記支持部は、前記第１管状部材及び前記第２管状部材それぞれの、前記特定区間を除外した外周上に一体的に形成されたことを特徴とする釣糸ガイド。
【請求項２】
前記第１管状部材及び前記第２管状部材それぞれは、前記特定区間の外周にスリットが長手方向に形成され、該スリットを挟んだ両側それぞれに、該スリットと直交方向に突き出た一対の突出部を有し、該突出部それぞれには螺子穴が形成されたものであって、
前記管径縮小部材は、前記螺子穴それぞれに挿入して前記突出部相互を螺着する螺子であり、
前記螺子を回転させることで前記スリットの間隙を狭めて前記内径を縮小させ、着脱自在に固定設置されることを特徴とする請求項１記載の釣糸ガイド。
【請求項３】
前記第１管状部及び前記第２管状部材それぞれは、前記支持部よりも中央寄りの外周に雄螺子が刻まれ、前記特定区間の外周に複数のスリットが長手方向に形成されたものであり、
前記管径縮小部材は、一端側の内周に前記雄螺子に螺合する雌螺子が形成され、該雌螺子よりも奥側の内周が次第に小さくなるテーパが形成された中空部材であり、
前記第１管状部材又は前記第２管状部材に前記管径縮小部材を嵌合して回転させることにより、前記内径を前記テーパに応じて縮小させ、着脱自在に固定設置されることを特徴とする請求項１記載の釣糸ガイド。
【発明の詳細な説明】
【技術分野】
【０００１】
本発明は、リールに巻かれた釣糸を釣竿の先端まで導く釣糸ガイドに関する。
【背景技術】
【０００２】
リールを取り付けた釣竿には、釣糸を竿管の中を通す中通し竿と、竿管に取り付けた釣糸ガイドに通す外通し竿とがあるが、中通し竿は、竿管に釣糸を通す糸通しや、糸仕舞が面倒なため、外通し竿が多用されている。
外通し竿は、太さの異なる竿管を順次継いで所定の長さにする継竿と、細い竿管をそれよりも太い竿管に順次収納する一方、引き出したとき、竿管相互が分離しないようになっている振出竿とがある。
釣糸ガイドは、継竿の場合には、予め、竿の先端を含む所定の位置に接着剤等で固定設置されるが、振出竿の場合には、穂先の先端に設置するトップガイド又は各竿管の相対的に細い側端側に設置される固定式ガイドを除き、移動自在に構成する必要がある。そこで、テーパの付いた竿管に移動自在な内径の装着部を有する釣糸ガイドを嵌合し、その内径が竿管の外径より小さくなる位置でロックされるように構成された遊動ガイドが設置される。
しかしながら、遊動ガイドを剛性の高い金属で構成するとその部位の釣竿が曲がりにくくなる。一方、弾性変形可能な軟質合成樹脂で構成すると、摩耗により回動を阻止できなくなるので、釣竿の所定の位置にプリプレグを巻装する方法が開示されている（特許文献１参照）。
また、中通し竿を外通し竿としても使用できるようにするため、喇叭状のトップガイドを、穂先竿管に固定設置した螺合管に螺合させることでトップガイドを着脱自在にする方法が開示されている（特許文献２参照）。
しかしながら、この方法は、先端径が一定以上ない場合には設置が困難であるうえ、螺合管の際で穂先が折損する虞がある。
また、衝撃に弱いセラミック製のガイドリングを防護する枠体を竿管に装着する装着穴の内周面に複数の凹凸部を形成し、その表面に装飾被膜で覆うことにより竿管の所定位置に釣糸ガイドを着脱自在又は移動自在に配置可能にした釣用具が開示されている（特許文献３参照）。
さらに、振出竿は、穂先竿を収納状態に仕舞い処理されていても、先端部が他物と衝突して損傷する虞があるので穂先を保護する必要がある。そこで、二番竿の玉口から竿先側に向けて穂先竿を覆う穂先保護片を延出固定する方法が開示されている（特許文献４参照）。
【先行技術文献】
【特許文献】
【０００３】
【特許文献１】実公平８−１０２７２号公報
【特許文献２】特開平１０−１４４５２号公報
【特許文献３】特開２０００−１５２７３４号公報
【特許文献４】特開２００６−１５８３０８号公報
【発明の概要】
【発明が解決しようとする課題】
【０００４】
釣糸ガイドが装着され釣竿を用いて防波堤や岩場等で投げ釣りをする際に釣糸ガイドが誤ってテトラポットなどに当たり、衝撃に弱いガイドリングが損傷することがある。その場合、損傷した釣糸ガイドを取り替えるには、それよりも先端側に固定設置等されたものを全て取り外す必要がある。しかしながら、糸で巻いて固定したり、接着剤で固定して塗装を施した釣糸ガイドを取り外すには、一定のスキルと手間のかかる作業が必要なため、釣り具メーカーに修理を依頼しても、完了するまでに相当の期間が必要であり、その間は釣竿が使用できない。また、竿管のテーパでロックする遊動ガイドは、竿菅に装着する穴径によって固定位置が決まるので、釣竿を振ったとき移動しやすい。また、釣糸ガイドの位置を変えることで釣竿の調子を変えたいときは、穴径の異なる釣糸ガイドを多数準備する必要がある。
本発明は、かかる事情に鑑み、釣竿の穂先の先端に設置する釣糸ガイド（以下、「トップガイド」と称する。）及び各竿管に設置する釣糸ガイド（以下「竿菅ガイド」と称する。）が着脱自在で、しかも各竿菅の任意の位置に簡単に固定できる釣糸ガイドを提供することを目的とする。
【課題を解決するための手段】
【０００５】
本発明の釣糸ガイドは、釣糸が自在に通過する内径のガイドリングを嵌合する支持部が形成された本体を釣竿の先端又は竿管の任意の位置に、着脱自在に固定設置する釣糸ガイドであって、上記本体は、釣竿の先端を挿入する中空部分が形成された第１管状部材、又は竿管が貫通する貫通孔が形成された第２管状部材と、上記中空部分又は上記貫通孔を有する区間のうち、一部の特定区間の内径を縮小させる管径縮小部材と、を備え、上記支持部は、上記第１管状部材及び上記第２管状部材それぞれの、上記特定区間を除外した外周上に一体的に形成されたことを特徴とする。
すなわち、釣竿の先端に設置する釣糸ガイド（トップガイド）の本体が先端を挿入可能な中空部分のある第１管状部材と、その中空部分の一部の特定区間の内径を縮小する管径縮小部材とを備え、また釣竿を構成する竿管の任意の位置に設置する釣糸ガイド（竿管ガイド）の本体が竿管を貫通させる貫通孔のある第２管状部材と、その貫通孔の一部の特定区間の内径を縮小する管径縮小部材とを備えていれば、それぞれを所定の位置に着脱自在にしっかりと固定することができる。
その場合、上記第１管状部材及び上記第２管状部材それぞれは、上記特定区間の外周にスリットが長手方向に形成され、該スリットを挟んだ両側それぞれに、該スリットと直交方向に突き出た一対の突出部を有し、該突出部それぞれには螺子穴が形成されたものであって、上記管径縮小部材は、上記螺子穴それぞれに挿入して上記突出部相互を螺着する螺子であり、上記螺子を回転させることで上記スリットの間隙を狭めて上記内径を縮小させ、着脱自在に固定設置されるようにしてもよい。
また、上記第１管状部及び上記第２管状部材それぞれは、上記支持部よりも中央寄りの外周に雄螺子が刻まれ、上記特定区間の外周に複数のスリットが長手方向に形成されたものであり、上記管径縮小部材は、一端側の内周に上記雄螺子に螺合する雌螺子が形成され、該雌螺子よりも奥側の内周が次第に小さくなるテーパが形成された中空部材であり、上記第１管状部材又は上記第２管状部材に上記管径縮小部材を嵌合して回転させることにより、上記内径を上記テーパに応じて縮小させ、着脱自在に固定設置されることにしてもよい。
【発明の効果】
【０００６】
本発明の釣糸ガイドによれば、釣竿の先端又は竿管の任意の位置に、着脱自在に、簡単に固定設置することができるので、ガイドリングやガイドリングの支持部などを破損しても、簡単に取替修理ができる。また、竿管に複数の釣糸ガイドを設置することや、設置位置を変えることが簡単にできるので、釣竿の調子を変えることが容易にできる。
【図面の簡単な説明】
【０００７】
【図１】図１は、第１の実施形態のトップガイドの正面図である。
【図２】図２は、第１の実施形態のトップガイドの左側面図である。
【図３】図３は、第１の実施形態の竿菅ガイドの正面図である。
【図４】図４は、第１の実施形態の竿菅ガイドの右側面図である。
【図５】図５は、図３で示した第２管状部材のＡ面における断面図である。
【図６】図６は、第２の実施形態のトップガイドを構成する第１管状部材及び管径縮小部材を示す正面図である。
【図７】図７は、第２の実施形態のトップガイドの右側面図である。
【図８】図８は、第２の実施形態のトップガイドを構成する第１管状部材の左側面図である。
【図９】図９は、第２の実施形態のトップガイドを構成する管径縮小部材の右側面図である。
【図１０】図１０は、第２の実施形態の竿菅ガイドを構成する第２管状部材及び管径縮小部材を示す正面図である。
【図１１】図１１は、第２の実施形態の竿菅ガイドの右側面図である。
【図１２】図１２は、第２の実施形態の竿菅ガイドを構成する第２管状部材の左側面図である。
【図１３】図１３は、第２の実施形態の竿菅ガイドを構成する管径縮小部材の右側面図である。
【発明を実施するための形態】
【０００８】
以下に本発明の釣糸ガイドの実施形態について図に基づいて説明する。
［第１の実施形態］
図１及び図２は、第１の実施形態の釣糸ガイドのうち釣竿の先端に配置されるトップガイドを示す図であり、図１は、トップガイドの正面図、図２はトップガイドの左側面図である。
【０００９】
図１及び図２に示す第１の実施形態のトップガイド１０は、断面が円形をなし、釣竿の先端を挿入する中空部分２が形成された第１管状部材１を備え、その第１管状部材１の中空部分２が形成された区間を除外した個所の外周には、釣糸が自在に通過する内径のガイドリング３０を支持する支持部３が一体的に形成されている。
また、中空部分２を有する区間のうち、一部の特定区間４の外周には長手方向のスリット５が形成され、そのスリット５を挟んだ両側それぞれに、スリット５と直交する方向に突き出した一対の突出部６を有し、その突出部６それぞれには螺子穴７が形成されている。
そして、それらの螺子穴７それぞれには螺子（本発明の「管径縮小部材」に相当する。以下、第１の実施形態においては同様である。）１１が挿入され、突出部６相互を螺着するように構成されている。
本実施形態のトップガイド１０を構成する第１管状部材１の中空部分２を釣竿の先端に挿入し、螺子１１を回転させると、中空部分２の一部の内径が縮小し、第１管状部材１と釣竿先端との摩擦力でトップガイド１０を釣竿にしっかりと固定することができる。また、螺子１１を緩めれば、釣竿からトップガイド１０を容易に取り外すことができるので、着脱自在である。また、中空部分２の長さを２０乃至２５ｍｍ程度にして釣竿の先端の所定の長さに亘って摩擦力が作用するようにすれば、釣竿に大きな荷重が加わっても、先端が折損する恐れや先端からトップガイド１０がすっぽ抜ける恐れをなくすことができる。
ここで、第１管状部材１や支持部３は、ステンレスやチタンなどの金属で成型加工することにしてもよいし、エンジニアリングプラスチックなどで成形加工してもよい。なお、ガイドリング３０としては、アルミナや炭化ケイ素等で成型加工することが好ましい。
また、本実施形態においては、スリット５や螺子１１を螺着する突出部６が、支持部３と同様、第１管状部材１の天面に配置されているが、必ずしもその必要はなく、第１管状部材１断面の異なる位置に設置することもできる。
【００１０】
図３から図５は、第１の実施形態の釣糸ガイドのうち竿菅の任意の位置に配置される竿菅ガイドを示す図であり、図３は竿菅ガイドの正面図、図４は竿菅ガイドの右側面図、図５は、図３で示した第２管状部材のＡ面における断面図である。
【００１１】
図３及び図５に示す第１の実施形態の竿菅ガイド２０は、断面が円形をなし、釣竿を構成する竿菅が貫通する貫通孔２２が形成された第２管状部材２１を備え、その第２管状部材２１の一方の端の外周には、釣糸が自在に通過する内径のガイドリング３０を支持する支持部２３が一体的に形成されている。
また、貫通孔を有する区間のうち、一部の特定区間２４には長手方向にスリット２５が形成され、そのスリット２５を挟んだ両側それぞれには、スリット２５と直交する方向に突き出した一対の突出部２６があり、その突出部それぞれには螺子穴２７が形成されている。
そして、それらの螺子穴２７それぞれには螺子１２が挿入され、突出部２６相互を螺着するように構成されている。
本実施形態の竿菅ガイド２０を構成する第２管状部材２１の貫通孔２２に竿菅を挿通し、突出部２６に挿入した螺子１２を回転させると、スリット２５の間隙が縮小し、貫通孔２２の内径が縮小するので、第２管状部材２２と竿菅との摩擦力で竿菅ガイド２０を竿管にしっかりと固定することができる。なお、螺子１２を緩めれば、竿管から竿菅ガイド２０を容易に取り外すことができる。
なお、竿菅には、テーパが設けられているが、貫通孔２２の内径を、竿菅の最大径と同じか若しくは少し大き目にしておけば、竿菅の任意の位置に移動させることができるうえ、螺子１２の締め具合により、竿菅の任意の位置にしっかりと固定することができる。
また、トップガイド１０と異なり、竿菅の任意の位置の外径は、先端よりも大きいので、１０乃至１５ｍｍ程度に亘り摩擦力を受けるようにすれば、竿を大きく振っても、竿菅ガイド２０が移動する恐れをなくすことができる。
また、着脱自在であることから、竿菅に設置する竿菅ガイド２０の数や設置位置を変えることにより、釣竿を先調子にしたり中調子にしたりすることもできる。
また、トップガイド１０又は竿菅ガイド２０からなる釣糸ガイドが、破損したときでも、それらが着脱自在であれば、短時間で容易に取り換えができる。
【００１２】
［第２の実施形態］
第２の実施形態の釣糸ガイドは、第１の実施形態の釣糸ガイドに較べて、スリットが複数形成され、それらスリットが形成された特定区間の内径を、奥に向かって内周が小さくなるテーパが形成された管径縮小部によって縮小させて釣竿に固定設置できるように構成されている点が相違する。
【００１３】
図６から図９は、第２の実施形態の釣糸ガイドのうち釣竿の先端に配置されるトップガイドを示す図であり、図６は、トップガイドを構成する第１管状部材及び管径縮小部材を示す正面図、図７はトップガイドの右側面図、図８は第１管状部材の左側面図、図９は、管径縮小部材の右側面図である。
図６に示す第２の実施形態のトップガイド４０は、釣竿の先端を挿入する中空部分４２が形成された第１管状部材４１と、その中空部分４２を有する区間のうち、一部の特定区間４４の内径を縮小する管径縮小部材１３とを備えている。
第１管状部材４１の一方の端の外周上には、釣糸が自在に通過する内径のガイドリング３０を支持する支持部４３が形成され、その支持部４３よりも中央寄りの外周には雄螺子４６が刻まれている。そして、その雄螺子４６から、支持部４３とは反対側の端に至る特定区間４４の外周には、４つのスリット４５が長手方向に形成されている。
管径縮小部材４７は、第１管状部材４１に嵌合する中空部材であり、一端側の内周に雌螺子４８が形成され、その雌螺子４８よりも奥側の内径が次第に小さくなるテーパ４９が形成され、内部が先細り状態になっている。
従って、第１管状部材４１に管径縮小部材１３を嵌合させ、第１管状部材４１の雄螺子４６と管径縮小部材１３の雌螺子４８とを螺合させて回転させると、第１管状部材４１の特定区間４４の内径が管径縮小部材１３のテーパ４９に応じて縮小し、釣竿の先端部に密着する。従って、その摩擦力でトップガイド４０が釣竿の先端にしっかりと固定設置される。
ここで、本実施形態の第１管状部材４１には、４つのスリット４５が形成されているが、スリット４５の数は、必ずしも４つに限定する必要はなく、３つでもよいし、５つ以上であってもよい。
管径縮小部材１３は、第１の実施形態と同様に、ステンレスやチタンなどの金属で成型加工することにしてもよいが、支持部４３を含む第１管状部材４１は、管径縮小部材１３を含め、エンジニアリングプラスチックなどで成形加工することが好ましい。また、ガイドリング３０としては、アルミナや炭化ケイ素等で成型加工することが好ましい。
【００１４】
図１０から図１３は、第２の実施形態の釣糸ガイドのうち竿菅の任意の位置に配置される竿菅ガイドを示す図であり、図１０は、竿菅ガイドを構成する第２管状部材及び管径縮小部材を示す正面図、図１１は竿菅ガイドの右側面図、図１２は第２管状部材の左側面図、図１３は、管径縮小部材の右側面図である。
図１０に示す第２の実施形態の竿菅ガイド５０は、竿菅を挿入する貫通孔５２が形成された第２管状部材５１と、その貫通孔を有する区間のうち、一部の特定区間５４の内径を縮小する管径縮小部材１４とを備えている。
第２管状部材５１の一方の端の外周上には、釣糸が自在に通過する内径のガイドリング３０を支持する支持部５３が形成され、その支持部５３よりも中央寄りの外周には雄螺子５６が刻まれている。そして、その雄螺子５３から、支持部５３とは反対側の端に至る特定区間５４の外周には、４つのスリット５５が長手方向に形成されている。
また、管径縮小部材１４は、第２管状部材５１に嵌合する中空部材であり、
一端側の内周に雌螺子５８が形成され、その雌螺子５８よりも奥側は、内周が次第に小さくなるテーパ５９が形成され、内部が先細り状態になっている。
そして管径縮小部材１４の先細りした内周の大きさは、それ自体では竿管を通過させるが、嵌合した第２管状部材の厚みが加わった際には、竿管が通過しない大きさに設定されている。
従って、第２管状部材５１に管径縮小部材１４を嵌合させ、第２管状部材５１の雄螺子５６と管径縮小部材１４の雌螺子５８とを螺合させて回転させると、第２管状部材５１の特定区間５４の内径が管径縮小部材１４のテーパ５９に応じて縮小し、竿管の任意の位置に密着する。そして、その摩擦力で竿管に竿管ガイド５０をしっかりと固定設置することができる。
【符号の説明】
【００１５】
１、２１、４１、５１  第１管状部材
２、４２              中空部分              
３、２３、４３、５３  支持部
４、２４，４４、５４  特定区間
５、２５、４５，５５  スリット
６、２６              突出部
７、２７              螺子穴
１０、４０            トップガイド
１１、１２            螺子
１３，１４            管径縮小部材
２０、５０            竿管ガイド
２２、５２            貫通孔
３０                  ガイドリング
４６，５６            雄螺子
４８、５８            雌螺子
４９、５９            テーパ
【図１】
2019126303.tif 000003
【図２】
2019126303.tif 000004
【図３】
2019126303.tif 000005
【図４】
2019126303.tif 000006
【図５】
2019126303.tif 000007
【図６】
2019126303.tif 000008
【図７】
2019126303.tif 000009
【図８】
2019126303.tif 000010
【図９】
2019126303.tif 000011
【図１０】
2019126303.tif 000012
【図１１】
2019126303.tif 000013
【図１２】
2019126303.tif 000014
【図１３】
2019126303.tif 000015